(57)【要約】【課題】排泄水分の透過を抑制することのできる吸収性物品を提供する。【解決手段】吸収性物品１００は、吸液性をもつ吸収性コア４０と、吸収性コア４０に積層される積層シート６０とを備え、吸収性コア４０及び積層シート６０の少なくとも一つが界面不活性剤を含む。【選択図】図３
2019176928.tif 000002
【特許請求の範囲】
【請求項１】
吸液性をもつ吸収性コアと、
前記吸収性コアに積層される積層シートとを備え、
前記吸収性コア及び前記積層シートの少なくとも一つが界面不活性剤を含む
ことを特徴とする吸収性物品。
【請求項２】
前記積層シートは、前記吸収性コアを被覆するラップシートと、前記ラップシートの肌対向面側に配置されるトップシートと、前記ラップシートの肌非対向面側に配置されるバックシートと、前記バックシートの肌非対向面側に配置されるカバーシートとを有し、
前記吸収性コア、前記ラップシート、前記トップシート、前記バックシート、及び前記カバーシートの少なくとも一つが前記界面不活性剤を含む、
請求項１に記載の吸収性物品。
【請求項３】
前記バックシートは、その表面に、前記界面不活性剤が付着した付着層を有する、
請求項２に記載の吸収性物品。
【請求項４】
前記バックシートは、熱可塑性樹脂及び前記界面不活性剤を含有する、
請求項２又は３に記載の吸収性物品。
【請求項５】
前記カバーシートは、その表面に、前記界面不活性剤が付着した付着層を有する、
請求項２〜４のいずれか１項に記載の吸収性物品。
【請求項６】
前記ラップシートと前記バックシートとの間に、前記ラップシートと前記バックシートと接着する接着部が設けられ、
前記接着部は、前記界面不活性剤を含有する、
請求項２〜５のいずれか１項に記載の吸収性物品。
【請求項７】
前記吸収性コアは、長手方向に沿って延在するとともに、厚み方向に貫通するスリット部を有し、
前記吸収性コアと前記ラップシートとを有する吸収体は、前記スリット部に沿って、厚み方向に凹んだ溝状部を有する、
請求項２〜６のいずれか１項に記載の吸収性物品。
【請求項８】
前記ラップシートは、前記溝状部の表面に、前記界面不活性剤が付着した付着層を有する、
請求項７に記載の吸収性物品。
【請求項９】
前記トップシートは、前記溝状部に対応する位置の表面に、前記界面不活性剤が付着した付着層を有する、
請求項７又は８に記載の吸収性物品。
【請求項１０】
前記吸収性コアは、高吸収性ポリマー及び繊維材料を含有し、
前記吸収性コアと前記ラップシートとを有する吸収体は、前記吸収体の長手方向に沿って設けられて厚み方向の寸法が小さい第一吸収部と、平面視で前記第一吸収部の幅方向外側に設けられて前記第一吸収部よりも厚み方向の寸法が大きい第二吸収部とを有する
請求項２〜６のいずれか１項に記載の吸収性物品。
【請求項１１】
前記ラップシートは、前記第一吸収部の表面に、前記界面不活性剤が付着した付着層を有する、
請求項１０に記載の吸収性物品。
【請求項１２】
前記トップシートは、前記第一吸収部に対応する位置の表面に、前記界面不活性剤が付着した付着層を有する、
請求項１０又は１１に記載の吸収性物品。
【請求項１３】
前記吸収性コアは、前記第一吸収部において、前記繊維材料中に分散された前記界面不活性剤を含有する、
請求項１０〜１２のいずれか１項に記載の吸収性物品。
【請求項１４】
前記界面不活性剤は、糖類を含む、
請求項１〜１３のいずれか１項に記載の吸収性物品。
【発明の詳細な説明】
【技術分野】
【０００１】
本発明は、吸収性物品に関する。
【背景技術】
【０００２】
従来、紙おむつ、尿漏れパッドや生理用ナプキンといった吸収性物品が知られている。吸収性物品は、高吸収性ポリマーを含有する吸収体と、吸収体の肌非対向面側に配置される液不透過性のバックシートとを備えている。吸収性物品は、着用者から排泄される尿や経血といった液体の水分（以降、「排泄水分」という）や固形成分等の排泄物を内部に保持して、吸収性物品から漏れ出すことを防ぐことができる。
【０００３】
吸収性物品による排泄物の吸収性能を高めるために、様々な技術が提案されている。例えば、特許文献１では、吸収体に長手方向に沿って延びるスリット部が設けられた吸収性物品が開示されている。特許文献１の吸収性物品によれば、吸収体を厚み方向に貫通するスリット部を通じて排泄水分を拡散することができ、吸収体の長手方向の広範囲において排泄水分を吸収させやすくすることができるようになっている。
【先行技術文献】
【特許文献】
【０００４】
【特許文献１】特開２０１７−１８９２４３号公報
【発明の概要】
【発明が解決しようとする課題】
【０００５】
本件は外部への排泄水分の透過を抑制することのできる吸収性物品を提供することを目的の一つとする。なお、この目的に限らず、後述する「発明を実施するための形態」に示す各構成から導き出される作用及び効果であって、従来の技術では得られない作用及び効果を奏することも、本件の他の目的として位置付けることができる。
【課題を解決するための手段】
【０００６】
ここで開示する吸収性物品は、吸液性をもつ吸収性コアと、前記吸収性コアに積層される積層シートとを備え、前記吸収性コア及び前記積層シートの少なくとも一つが界面不活性剤を含む。
【発明の効果】
【０００７】
本件で示す吸収性物品によれば、外部への排泄水分の透過を抑制することができる。
【図面の簡単な説明】
【０００８】
【図１】第一実施形態に関する尿漏れパッドの展開図である。
【図２】第一実施形態に関する尿漏れパッドの分解斜視図である。
【図３】図１のＩＩＩ−ＩＩＩ矢視断面図である。
【図４】第一実施形態に関する尿漏れパッドの要部断面図であり、ラップシートの外側表面に設けられる付着層を示している。
【図５】第一実施形態に関する尿漏れパッドの要部断面図であり、ラップシートの内側表面に設けられる付着層を示している。
【図６】第一実施形態に関する尿漏れパッドの要部断面図であり、トップシートに設けられる付着層を示している。
【図７】第一実施形態に関する尿漏れパッドの要部断面図であり、バックシートに設けられる付着層を示している。
【図８】第一実施形態に関する尿漏れパッドの要部断面図であり、カバーシートに設けられる付着層を示している。
【図９】第一実施形態に関する尿漏れパッドの要部断面図であり、接着部を示している。
【図１０】第二実施形態に関する尿漏れパッドの展開図である。
【図１１】図１０のＸＩ−ＸＩ矢視断面図である。
【図１２】第二実施形態に関する尿漏れパッドの要部断面図であり、ラップシートの外側表面に設けられる付着層に設けられる付着層を示している。
【図１３】第二実施形態に関する尿漏れパッドの要部断面図であり、ラップシートの内側表面に設けられる付着層を示している。
【図１４】第二実施形態に関する尿漏れパッドの要部断面図であり、トップシートに設けられる付着層を示している。
【図１５】第三実施形態に関する尿漏れパッドの断面図であり、図１のＩＩＩ−ＩＩＩ矢視断面図に対応する箇所を示す。
【発明を実施するための形態】
【０００９】
以下、本件を実施するための形態を説明する。下記の実施形態はあくまでも例示に過ぎず、この実施形態で明示しない種々の変形や技術の適用を排除する意図はない。本実施形態の各構成は、その趣旨を逸脱しない範囲で種々変形して実施することができる。また、
必要に応じて取捨選択することができ、適宜組み合わせることもできる。
【００１０】
実施形態で述べる吸収性物品は、着用者に装着され、着用者から排泄される尿や便等の排泄水分を吸収し保持する衛生用品である。この吸収性物品には、テープ型やパンツ型の紙おむつ（いわゆる「使い捨ておむつ」）といった吸収性物品のほか、尿漏れパッド、生理用ナプキン、パンティーライナーといった吸収性物品なども含まれる。以下の実施形態では、吸収性物品として尿漏れパッドを例示する。尿漏れパッドは通常、紙おむつの肌対向面側に装着されて用いられる。尿漏れパッドは、主に成人の要介護者に装着されて用いられる。
【００１１】
本実施形態では、尿漏れパッドについて、着用者の腹部に対向して配置される前身頃と背部に対向して配置される後身頃とを結ぶ方向を長手方向とする。これらの前身頃（長手方向の一側）と後身頃（長手方向の他側）との間（長手方向の中央）には、着用者の股下に配置（股間に対向して配置）される股下部が位置する。また、尿漏れパッドが着用者に装着された状態（以下、「装着状態」と略称する）において、着用者の肌に向かう側（装着された状態で内側）を肌対向面側とし、肌対向面側の反対側（外側）を肌非対向面側とする。さらに、肌対向面側と肌非対向面側とを結ぶ方向を厚み方向とし、長手方向と厚み方向の何れにも直交する方向を幅方向とする。その他、厚み方向の肌対向面側から視ることを平面視とする。そして、平面視での幅方向を左右ともいう。
【００１２】
本明細書において、例えば「１〜１００」との数値範囲の表記は、その下限値「１」及び上限値「１００」の双方を包含するものとする。また、他の数値範囲の表記も同様である。また、図面の寸法比率は、図示の比率に限定されるものではない。
【００１３】
［Ｉ．第一実施形態］
［Ｉ−１．構成］
［Ｉ−１−１．基本構成］
図１〜図９を参照して、尿漏れパッド１００の基本的な構成を説明する。なお、図３の断面図では、各構成を把握しやすくするため、各シート類の厚みを誇張して示している。後述する図１１，図１５の断面図も同様である。なお、下記の説明では、「尿漏れパッド」を単に「尿パッド」と略称する。
【００１４】
図１では、幅方向の中心線Ａを基準として対称に尿パッド１００が形成されている。この尿パッド１００は、長手方向に沿って前身頃２、股下部３、及び後身頃４の三つの領域に大別される。前身頃２は、装着状態で着用者の下腹部側に位置する領域である。後身頃４は、装着状態で着用者の臀部側に位置する領域である。股下部３は、前身頃２と後身頃４との間に位置して、装着状態で着用者の股下に位置する領域である。尿パッド１００は、前身頃２及び後身頃４において、長手方向の両側縁部から股下部３よりも幅方向外方に延出する、左右一対のサイドフラップをそれぞれ有している。
【００１５】
図３に示すように、尿パッド１００は、少なくとも吸収性コア４０を備える。さらに、尿パッド１００は、吸収性コア４０を内蔵し、溝状部２３と外周部２４とを有する吸収体２０を備える。またさらに、図２，図３に示すように、尿パッド１００は、吸収体２０と、吸収体２０に積層されるシートとを有する積層体１０を備える。積層体１０は、吸収体２０と、吸収体２０の肌対向面側に積層されるトップシート６２と、吸収体２０の肌非対向面側に積層されるバックシート６３とを備える。さらに、トップシート６２の側方（幅方向外側）と肌対向面側とに、サイドシート６４が配置される。また、バックシート６３の肌非対向面側には、カバーシート６５が積層される。積層体１０、吸収体２０、及び吸収性コア４０は、前身頃２、股下部３、及び後身頃４にわたって長手方向に設けられている。また、吸収体２０及び吸収性コア４０は、平面視で、略長方形状の外形を有している。
【００１６】
図３に示すように、尿パッド１００は、吸収性コア４０と、吸収性コア４０に積層される２以上のシートを有する積層シート６０とを備えている。積層シート６０は、吸収性コア４０の長手方向に沿って幅方向中央部に少なくとも積層されるシートである。積層シート６０は、吸収性コア４０を被覆する、ラップシート６１を有している。また、積層シート６０は、ラップシート６１の肌対向面側に配置されるトップシート６２を有している。また、積層シート６０は、ラップシート６１の肌非対向面側に配置されるバックシート６３を有している。さらに、積層シート６０は、バックシート６３の肌非対向面側に配置されるカバーシート６５を有している。尿パッド１００では、吸収性コア４０及び積層シート６０の少なくとも一つが、界面不活性剤を含んでいる。
以下、尿パッド１００の各構成要素について説明する。
【００１７】
〔吸収性コア〕
吸収性コア４０は、排泄水分を吸収して保持する吸液性をもつマット状（あるいはパッド状）の部材である。吸収性コア４０は、長手方向に沿って延在するとともに、厚み方向に貫通するスリット部４９を有している。すなわち、吸収性コア４０は、平面視で吸収体２０の長手方向に沿って延在するとともに、幅方向中心に設けられているスリット部４９を有する。ここでは、環状の吸収性コア４０を例示する。
【００１８】
図３に示すように、吸収性コア４０は、高吸収性ポリマー（ＳＡＰ（Superabsorbent polymer）、高吸水性高分子あるいは高吸水性樹脂とも称される）５１と、繊維材料５２とを含んでいる。吸収性コア４０は、繊維材料５２に高吸収性ポリマー５１が混合されることにより形成されている。繊維材料５２は、親水性を有する極細の繊維が絡まり合って形成されている。高吸収性ポリマー５１は、繊維材料５２に混合されることにより、通常、繊維材料５２に埋没保持されている。高吸収性ポリマー５１は、繊維材料５２によって拡散された液体を吸収し保持することができる。高吸収性ポリマー５１と繊維材料５２との含有割合は特に限定されないが、高吸収性ポリマー５１と繊維材料５２との合計含有量に対して、高吸収性ポリマー５１の含有量の割合が、通常２０〜８０％、好ましくは３０〜７０％、より好ましくは４０〜６０％である。
【００１９】
＜高吸収性ポリマー＞
高吸収性ポリマー５１としては、使い捨ておむつや尿パッドのような吸収性物品における吸収体の材料として用いられている各種公知のものを用いることができる。高吸収性ポリマー５１としては、例えば、デンプン−アクリル酸（塩）グラフト共重合体、デンプン−アクリロニトリル共重合体のケン化物、デンプン−アクリル酸エチルグラフト共重合体のケン化物等のデンプン系；ナトリウムカルボキシメチルセルロースの架橋物等のセルロース系；ポリアクリル酸（塩）、アクリル酸で架橋されたポリエチレンオキシド、ポリビニルアルコール−無水マレイン酸反応物の架橋物等の合成ポリマー系の物を用いることができる。これらの中でも、吸収性の観点から、ポリアクリル酸（塩）が好ましく、ポリアクリル酸ナトリウムがより好ましい。これらは、１種を単独で用いてもよく、２種以上を組み合わせて用いてもよい。高吸収性ポリマー５１の形状は特に限定されないが、例えば、粒状、粉体状、ペレット状、ゾル状、フィルム状、繊維状等のものを用いることができる。
【００２０】
＜繊維材料＞
繊維材料５２としては、例えば、パルプ繊維、レーヨン繊維、コットン繊維等のセルロース系の繊維や；ポリエチレン、ポリプロピレン、ポリエチレンテレフタレート等の合成繊維に親水化処理を施したものが挙げられる。中でも、吸収性の観点から、繊維又は合成繊維を粉砕あるいは解繊したフラッフパルプを用いることが好ましい。これらは、１種を単独で用いてもよく、２種以上を組み合わせて用いてもよい。
【００２１】
〔吸収体〕
吸収体２０は、吸収性コア４０を内蔵することで、吸収性コア４０と同様に吸液性をもつマット状の部材である。図１〜図３に示すように、吸収体２０は、平面視で吸収体２０の長手方向に沿って設けられる溝状部２３と、平面視で溝状部２３の幅方向外側に設けられる外周部２４とを有している。
【００２２】
図３に示すように、吸収体２０は、吸収性コア４０とラップシート６１とを有している。吸収体２０は、吸収性コア４０がラップシート６１によって被包（ラップ）されることで形成されている。ラップシート６１は、吸収性コア４０の肌対向面側と肌非対向面側とを含めて、吸収性コア４０の全体を被覆している。溝状部２３は、スリット部４９の形状にあわせて、ラップシート６１が、外周部２４よりも厚み方向に凹むことで形成されている。また、図１，図３に示すように、溝状部２３は、吸収体２０の肌対向面側において、長手方向に沿って幅方向中心に形成されている。
【００２３】
＜ラップシート＞
ラップシート６１は、吸収性コア４０を被覆するシート状の部材である。ラップシート６１によって吸収性コア４０が被包されることで、吸収性コア４０の定形性が確保される。
【００２４】
ラップシート６１は、吸収性物品に用いられている公知の材料で形成することができる。例えばティッシュペーパーのような紙；スパンボンド不織布、ニードルパンチ不織布、スパンレース不織布、エアースルー不織布、ＳＭＳ（Spunbound Meltblown Spunbound）不織布等を用いることができる。
【００２５】
〔積層体〕
図２に示すように、積層体１０は、吸収体２０の両主面側にトップシート６２とバックシート６３とがそれぞれ配置された積層構造体である。中でも、トップシート６２は、吸収体２０の肌対向面側の表面に配置される。また、バックシート６３は、吸収体２０の肌非対向面側の表面に配置される。積層体１０は、肌対向面側からの排泄水分をトップシート６２に透過させて、透過した排泄水分を吸収体２０によって吸収保持するとともに、バックシート６３によって肌非対向面側から外部への漏出を阻止する。トップシート６２及びバックシート６３と吸収体２０とは、ホットメルト接着剤等の公知の接着剤によって固定することができる。図３に示すように、積層体１０は、その肌対向面側において、溝状部２３の形状にあわせて、厚み方向に凹んでいる。
【００２６】
＜トップシート＞
トップシート６２は、積層体１０において最も肌対向面側に配置されるシート状の部材である。トップシート６２は、尿パッド１００の幅方向中央領域に設けられるため、センターシートとも称される。図３に示すように、トップシート６２は、吸収体２０よりも幅方向寸法が大きく、肌対向面側から吸収体２０の全面を被覆する。また、トップシート６２は、尿パッド１００が装着された状態において、着用者の肌に接触して、排泄水分を透過させて吸収体２０に吸収させる。このため、トップシート６２は、少なくとも一部または全部が透水性をもつ材料で構成される。また、トップシート６２は、装着状態のフィット性のため、柔軟性が高い材料で構成されることが好ましい。また、装着状態での蒸れを抑えるため、通気性を併せもつ材料で構成されることが好ましい。
【００２７】
トップシート６２を構成する材料としては、例えば、織布、不織布、多孔性フィルム等を用いることができる。または、トップシート６２としては、ポリプロピレン、ポリエチレン、ポリエステル、ナイロン等の熱可塑性樹脂の繊維に親水化処理を施して，不織布にしたものを用いてもよい。トップシート６２を構成する不織布としては、例えば、スパンボンド不織布、ニードルパンチ不織布、スパンレース不織布、エアースルー不織布、メルトブローン不織布、ＳＭＳ不織布等を用いることができる。
【００２８】
＜バックシート＞
バックシート６３は、積層体１０で最も肌非対向面側に配置されるシート状の部材である。バックシート６３は、吸収体２０及びトップシート６２よりも幅方向寸法が大きく、肌非対向面側から吸収体２０及びトップシート６２の全面を被覆する。また、バックシート６３は、吸収体２０から肌非対向面側に排泄物が漏れるのを防ぐ。このため、バックシート６３は、非透水性をもつ材料で構成される。また、バックシート６３は、装着状態での蒸れを抑えるため、透湿性を併せもつ材料で構成されることが好ましい。
【００２９】
バックシート６３を構成する材料としては、例えば、ポリエチレン、ポリプロピレン等の熱可塑性樹脂シートを用いることができる。中でも、バックシート６３としては、０．１〜０．４μｍの微細な孔が複数形成された微多孔性の熱可塑性樹脂シートを用いることが好ましい。このようなシートとしては、例えば、熱可塑性樹樹脂中に無機充填剤を混練してシートを成形した後に、延伸することにより得られるシートを用いることができる。
【００３０】
〔サイドシート、カバーシート〕
尿パッド１００は、積層体１０に対して積層されるサイドシート６４及びカバーシート６５をさらに備えている。サイドシート６４は、積層体１０の幅方向側方から肌対向面側にわたって配置される。また、カバーシート６５は、積層体１０の肌非対向面側に配置される。サイドシート６４及びカバーシート６５と積層体１０とは、ホットメルト接着剤等の公知の接着剤によって固定することができる。
【００３１】
＜サイドシート＞
サイドシート６４は、積層体１０の両側部に後述する立体ギャザー７０を形成するために幅方向両側に設けられる左右一対の部材である。図３に示すように、サイドシート６４は、トップシート６２及びバックシート６３の幅方向側方のそれぞれに設けられている。さらに、サイドシート６４は、トップシート６２及びバックシート６３の幅方向側方から、幅方向側部にかけて肌対向面側に積層される。サイドシート６４は、後述する立体ギャザー７０の収縮を利用して、着用者の肌に当接する方向に向かって起立する。
【００３２】
サイドシート６４は、幅方向側方への液漏れを防ぐため、非透水性をもつ材料で構成されることが好ましい。サイドシート６４としては、スパンボンド不織布を用いることができる。また、サイドシート６４の一部は、尿パッド１００において最も肌対向面側に配置される（このことから、サイドシート６４はトップシート６２と同様に「トップシート」とも称される）。このように着用者に対して接触しうるサイドシート６４としては、ＳＭＳ不織布やＳＭＭＳ（Spunbound Meltblown Meltblown Spunbound）不織布のようにメルトブローン層を含ませることにより、柔軟性を高めたスパンボンド不織布を用いることが好ましい。あるいは、スパンボンド不織布をなす繊維の繊度や目付量が抑えられることにより、柔軟性を向上させたスパンボンド不織布を用いることが好ましい。
【００３３】
なお、「繊度」とは、繊維の繊維径（太さ）や断面積に対応するパラメータであり、所定の長さあたりの重量で表される。例えば、一本の繊維について１００００ｍあたりのグラム数（デシテックス）が「繊度」として用いられる。
また、「目付量」とは、シートの厚みあるいは積層度合いに対応するパラメータであり、単位面積あたりの重量で表される。例えば、一平米あたりのグラム数が「目付量」として用いられる。
【００３４】
＜カバーシート＞
カバーシート６５は、積層体１０を肌非対向面側から被覆するシート状の部材である。カバーシート６５は、尿パッド１００で最も肌非対向面側に配置されることで、バックシート６３を補強し、バックシート６３の手触り（触感）を良好なものとするために用いられる。カバーシート６５は、吸収体２０、トップシート６２、及びバックシート６３よりも幅方向寸法が大きく設定され、装着状態で着用者の股下、臀部、下腹部等のまわりに配置される。
【００３５】
カバーシート６５を構成する材料としては、例えば、織布、不織布等を挙げることができる。中でも、ポリエチレン、ポリプロピレン、ポリエステル等の熱可塑性樹脂からなる不織布、湿式不織布を用いることが好ましい。特には、触感（手触り）を確保するために柔軟性の観点から、カバーシート６５としては、スパンボンド不織布を好適に用いることができる。
【００３６】
上述のように構成された尿パッド１００では、肌対向面側から肌非対向面側へ向けて、サイドシート６４、トップシート６２、吸収体２０、バックシート６３、カバーシート６５の順に各部材が積層されている。サイドシート６４とカバーシート６５とは、ホットメルト接着剤等の公知の接着剤によって貼り合わされる。
【００３７】
〔ギャザー〕
尿パッド１００には、装着状態における着用者への追従性を高めるため、立体ギャザー７０が設けられている。立体ギャザー７０は、ゴムやポリウレタン、伸縮フィルムといった伸縮性をもつ部材（伸縮性部材）を伸張状態で不織布などのシートの間に挟んで、ホットメルト、ヒートシール、超音波溶着等で固定することによって伸縮性をもたせたシート複合体から構成される。このシート複合体は、伸縮性部材が伸張状態からもと（自然長の状態）に戻ろうとする力（復元力、弾性力）でシートに細かな皺が寄った状態となる。ここでは、伸縮性部材として糸状のゴム部材（以下、「糸ゴム」と略称する）７１を例示する。
【００３８】
立体ギャザー７０は、サイドシート６４の幅方向内側端縁部が糸ゴム７１で皺寄せられることで形成されている。立体ギャザー７０は、排泄箇所の周縁で着用者に対する追従性を高めることにより、排泄物の幅方向側方への漏れを防ぐために設けられる。図１に示すように、立体ギャザー７０は、サイドシート６４の幅方向内側に配備される。図１，図２に示すように、立体ギャザー７０では、サイドシート６４の幅方向内側の端縁で長手方向に沿って糸ゴム７１が設けられている。また、図３に示すように、立体ギャザー７０では、サイドシート６４の幅方向内側の端縁部に位置するシート部６４Ａ，６５Ｂが折り曲げられて重ねられる。これらのシート部６４Ａ，６５Ｂによって、長手方向に延在する糸ゴム７１が囲まれている。
【００３９】
［Ｉ−１−２．詳細構成］
次に、尿パッド１００の詳細な構成を述べる。
尿パッド１００では、吸収性コア４０、ラップシート６１、トップシート６２、バックシート６３、及びカバーシート６５の少なくとも一つが、界面不活性剤を含んでいる。これらのうち、いずれか一つが界面不活性剤を含んでいてもよく、任意の組合せで２以上が界面不活性剤を含んでいてもよい。以下、まずは界面不活性剤について説明する。続いて、界面不活性剤が付着した付着層９１ａ〜９１ｅについて説明する。さらに、界面不活性剤を含有する接着部９２について説明する。
【００４０】
〔界面不活性剤〕
尿パッド１００に含まれる界面不活性剤としては、水の表面張力を増加させる界面不活性を示す物質を用いることができる。固体が界面不活性剤を含むことで、界面不活性剤によりこの固体表面の濡れ性が低下して、固体が濡れにくくなる。界面不活性剤を含む固体の濡れ性は、例えば接触角を測定することで評価することができる。界面不活性剤を含む固体が、繊維材料や多孔性材料である場合には、その内部空間への水分及び水分を含む液体の浸潤を抑制することができる。さらにこの場合、繊維材料や多孔性材料の有する透湿性を妨げずに、液体の浸潤を抑制することができる。したがって、尿パッド１００の積層シート６０に界面不活性剤を用いることで、装着状態の蒸れを抑えるとともに、排泄水分の透過も抑えることができる。
【００４１】
界面不活性剤としては、特に限定されないが、例えば、糖類、アルカリ金属塩、強酸、強アルカリ、アルコール類、シリコーン樹脂、テフロン（登録商標）樹脂、ワックス、天然ゴム等が挙げられる。これらの中でも、尿パッド１００に含ませた場合の安定性、尿パッド１００装着状態の安全性を高める観点から、糖類が好ましい。
【００４２】
糖類としては、特に限定されないが、例えば、単糖類、二糖類〜四糖類等のオリゴ糖、多糖類を用いることができる。中でも、界面不活性の観点からは、単糖類が好ましい。単糖類としては、特に限定されないが、トリオース（三単糖）、テトロース（四炭糖）、ペントース（五炭糖）、ヘキソース（六炭糖）等が好ましく、これらの中でも、ヘキソースが好ましい。ヘキソースとしては、特に限定されないが、例えば、アロース、アルトロース、イドース、ガラクトース、グルコース、グロース、タロース、マンノース等のアルドヘキソース；ソルボース、タガトース、フルクトース、プシコース等のケトヘキソース等が挙げられる。これらの中でも、グルコースが好ましい。
【００４３】
界面不活性剤を固体に含ませる態様としては、例えば、固体への混合や付着により行うことができる。
固体への混合は、例えば、紙、織布、不織布の場合には、繊維材料に界面不活性剤を混ぜて、シート状に成形することで行うことができる。このような手法は、例えば、ラップシート６１、トップシート６２、カバーシート６５に好適である。また、例えば、樹脂シートの場合には、原料である熱可塑性樹脂に界面不活性剤を混ぜてシート状に成形することで行うことができる。このような手法は、例えば、バックシート６３に好適である。また、吸収性コア４０に含有させる場合には、高吸収性ポリマー５１及び繊維材料５２に界面不活性剤を混ぜて、マット状に堆積することで行うことができる。
【００４４】
固体への付着は、界面不活性剤を溶剤に溶解又は分散させて得られた溶液を、例えば、スプレー塗布、刷毛塗布、ローラー塗布、浸漬等の公知の方法により固体に対して塗工して、溶液を乾燥することで行うことができる。このような手法は、吸収性コア４０、ラップシート６１、トップシート６２、バックシート６３、カバーシート６５の表面に、界面不活性剤を付着させる場合に好適である。
【００４５】
積層シート６０の表面に界面不活性剤を付着させる場合には、ラップシート６１、トップシート６２、バックシート６３、及びカバーシート６５の肌対向面側に付着させてもよく、肌非対向面側に付着させてもよく、両面側に付着させてもよい。通常、肌対向面側において排泄水分と接触して、肌対向面側から肌非対向面側への排泄水分の透過の抑制が求められることから、ラップシート６１、トップシート６２、バックシート６３、及びカバーシート６５の肌対向面側に界面不活性剤を付着させることが好ましい。
【００４６】
次に、図４〜図８を参照して、ラップシート６１、トップシート６２、バックシート６３、及びカバーシート６５の肌対向面側に界面不活性剤が付着した付着層９１ａ〜９１ｅについて説明する。なお、図４〜図８では、溝状部２３の断面部分を拡大視した状態を図示している。図４〜図９、及び後述する図１２〜図１４では、吸収性コア４０を被覆して袋状に形成されるラップシート６１のうち、断面視で肌対向面側に位置するものをラップシート６１ａ、肌対向面側に位置するものをラップシート６１ｂとして、それぞれ符号を付して区別している。図４〜図９，図１２〜図１４では、層構成を模式的に示すものであり、付着層９１ａ〜９１ｈは、必ずしも図示の通りに所定の膜厚を有する被膜層である必要は無い。
【００４７】
〔付着層〕
＜ラップシートの付着層（１）＞
図４を参照して、ラップシート６１ａが、外側表面の肌対向面側に設けられる付着層９１ａを有する場合を例示する。溝状部２３では、スリット部４９の存在により、ラップシート６１ａとラップシート６１ｂとの間に吸収性コア４０が挟まれておらず、ラップシート６１ａとラップシート６１ｂとが接触している。このため、ここでは図４に示すように、トップシート６２、付着層９１ａ、ラップシート６１ａ、ラップシート６１ｂ、バックシート６３、及びカバーシート６５がこの順で積層される。
【００４８】
ラップシート６１ａは、外側表面の全域にわたって付着層９１ａを有していてもよく、一部に付着層９１ａを有していてもよい。ここで、ラップシート６１ａは、通常、吸収性コア４０の肌対向面側に配置される。界面不活性剤は排泄水分の透過を抑制するため、ラップシート６１ａの肌非対向面側に吸収性コア４０が位置して、さらにそのラップシート６１ａの肌対向面側に付着層９１ａが位置する場合には、付着層９１ａが吸収性コア４０への排泄水分の吸収を妨げることがある。このため、平面視で吸収性コア４０の存在する位置には、界面不活性剤を含む付着層９１ａを有しないことが好ましい。したがって、ラップシート６１ａは、スリット部４９の位置に、付着層９１ａを有することが好ましい。言い換えれば、図４に示すように、ラップシート６１ａは、溝状部２３の位置に、付着層９１ａを有することが好ましい。また、ラップシート６１ａは、外周部２４の位置に、付着層９１ａを有しないことが好ましい。
【００４９】
＜ラップシートの付着層（２）＞
図５を参照して、ラップシート６１ｂが、内側表面の肌対向面側に設けられる付着層９１ｂを有する場合を例示する。ここでは図５に示すように、トップシート６２、ラップシート６１ａ、付着層９１ｂ、ラップシート６１ｂ、バックシート６３、及びカバーシート６５がこの順で積層される。
【００５０】
ラップシート６１ｂは、内側表面の全域にわたって付着層９１ｂを有していてもよく、一部に付着層９１ｂを有していてもよい。ここで、ラップシート６１ｂは、通常、吸収性コア４０の肌非対向面側に配置される。尿パッド１００を全体で見た場合、平面視で吸収性コア４０が含まれない位置では、吸収性コア４０が含まれる位置よりも、排泄水分が積層シート６０を透過して漏れ出しやすい傾向にある。このため、平面視で吸収性コア４０の存在しない位置に、界面不活性剤を含む付着層９１ｂを有することが好ましい。したがって、ラップシート６１ｂは、スリット部４９の位置に、付着層９１ｂを有することが好ましい。言い換えれば、図５に示すように、ラップシート６１ｂは、溝状部２３の位置に、付着層９１ｂを有することが好ましい。また、ラップシート６１ｂは、外周部２４の位置に、付着層９１ａを有していてもよい。
【００５１】
＜トップシートの付着層＞
図６を参照して、トップシート６２が、肌対向面側に設けられる付着層９１ｃを有する場合を例示する。ここでは図６に示すように、付着層９１ｃ、トップシート６２、ラップシート６１ａ、ラップシート６１ｂ、バックシート６３、及びカバーシート６５がこの順で積層される。
【００５２】
トップシート６２は、全域にわたって付着層９１ｃを有していてもよく、一部に付着層９１ｃを有していてもよい。ここで、トップシート６２は、通常、吸収性コア４０の肌対向面側に配置される。付着層９１ａと同様の理由から、平面視で吸収性コア４０の存在する位置には、界面不活性剤を含む付着層９１ｃを有しないことが好ましい。したがって、トップシート６２は、スリット部４９の位置に、付着層９１ｃを有することが好ましい。言い換えれば、図６に示すように、トップシート６２は、溝状部２３に対応する位置に、付着層９１ｃを有することが好ましい。また、トップシート６２は、外周部２４に対応する位置に、付着層９１ｃを有しないことが好ましい。
【００５３】
＜バックシートの付着層＞
図７を参照して、バックシート６３が、肌対向面側に設けられる付着層９１ｄを有する場合を例示する。ここでは図７に示すように、トップシート６２、ラップシート６１ａ、ラップシート６１ｂ、付着層９１ｄ、バックシート６３、及びカバーシート６５がこの順で積層される。
【００５４】
バックシート６３は、全域にわたって付着層９１ｄを有していてもよく、一部に付着層９１ｄを有していてもよい。ここで、バックシート６３は、通常、吸収性コア４０の肌非対向面側に配置される。付着層９１ｂと同様の理由から、平面視で吸収性コア４０の存在しない位置に、界面不活性剤を含む付着層９１ｄを有することが好ましい。したがって、バックシート６３は、スリット部４９の位置に、付着層９１ｄを有することが好ましい。言い換えれば、図７に示すように、バックシート６３は、溝状部２３に対応する位置に、付着層９１ｄを有することが好ましい。また、ラップシート６１ｂは、外周部２４の位置に、付着層９１ｄを有していてもよい。
【００５５】
＜カバーシートの付着層＞
図８を参照して、カバーシート６５が、肌対向面側に設けられる付着層９１ｅを有する場合を例示する。ここでは図８に示すように、トップシート６２、ラップシート６１ａ、ラップシート６１ｂ、バックシート６３、付着層９１ｅ、及びカバーシート６５がこの順で積層される。
【００５６】
カバーシート６５は、全域にわたって付着層９１ｅを有していてもよく、一部に付着層９１ｅを有していてもよい。ここで、カバーシート６５は、通常、吸収性コア４０の肌非対向面側に配置される。付着層９１ｂと同様の理由から、平面視で吸収性コア４０の存在しない位置に、界面不活性剤を含む付着層９１ｅを有することが好ましい。したがって、カバーシート６５は、スリット部４９の位置に、付着層９１ｅを有することが好ましい。言い換えれば、図８に示すように、カバーシート６５は、溝状部２３に対応する位置に、付着層９１ｅを有することが好ましい。また、ラップシート６１ｂは、外周部２４の位置に、付着層９１ｅを有していてもよい。
【００５７】
〔接着部〕
上述の通り、尿パッド１００の溝状部２３では、トップシート６２、ラップシート６１ａ、ラップシート６１ｂ、バックシート６３、カバーシート６５の順に各部材が積層されている。また、尿パッド１００の外周部２４では、トップシート６２、ラップシート６１ａ、吸収性コア４０、ラップシート６１ｂ、バックシート６３、カバーシート６５の順に各部材が積層されている。隣接する各部材の間に、隣接する各部材どうし接着する接着部を有していてもよい。ここでは、図９を参照して、吸収体２０とバックシート６３との間、すなわちラップシート６１ｂとバックシート６３との間に設けられる接着部９２を例示する。
【００５８】
接着部９２は、接着剤と界面不活性剤とを含有する。接着部９２は、接着剤によって、ラップシート６１ｂとバックシート６３と接着することができる。さらに、接着部９２は、界面不活性剤によって、接着剤に界面不活性を付与することができる。したがって、ラップシート６１ｂとバックシート６３との間に接着部９２が設けられることで、ラップシート６１ｂ側からバックシート６３の内部空間への水分及び水分を含む液体の浸潤を抑制することができる。
【００５９】
ラップシート６１ｂとバックシート６３との間において、全域にわたって接着部９２が設けられてもよく、一部に接着部９２が設けられてもよい。接着部９２が一部に設けられる場合には、例えば線状に設けられてもよく、点状に設けられてもよい。付着層９１ｂと同様の理由から、平面視で吸収性コア４０の存在しない位置に、界面不活性剤を含む接着部９２を有することが好ましい。したがって、接着部９２は、スリット部４９の位置に設けられることが好ましい。言い換えれば、接着部９２は、溝状部２３に対応する位置に設けられることが好ましい。また、ラップシート６１ｂは、外周部２４の位置に、付着層９１ｄを有していてもよい。
【００６０】
接着部９２に含有される接着剤としては、特に限定されず、例えば、澱粉、ホットメルト型、合成樹脂エマルジョン型、樹脂溶液型等の公知の接着剤を用いることができる。中でも、耐水性、作業性、安全性を確保する観点から、ホットメルト型の接着剤が好ましい。接着部９２に含有される界面不活性剤としては、上述した吸収性コア４０及び積層シート６０に含有される界面不活性剤を用いることができる。
【００６１】
［Ｉ−２．作用及び効果］
本実施形態の尿パッド１００は、上述したように構成されるため、下記のような作用及び効果を得ることができる。
【００６２】
従来の吸収性物品では、例えば、着用者が一度に多量の尿を排泄した場合には、吸収体が尿を吸収しきるまでに時間を要することで、吸収体で直ちに吸収しきれなかった排泄水分が外部に漏れだすことがあった。そこで、排泄水分の透過の抑制性能が向上した積層シート及び吸収性物品が求められていた。
【００６３】
また、従来の吸収体に厚み方向に貫通するスリット部が設けられている吸収性物品では、スリット部を通じた吸収体内部への排泄水分の拡散によって、吸収性能の向上が図られていた。しかしながら、スリット部を通じて、排泄水分が厚み方向に速やかに通過するため、吸収体の肌非対向面側に積層された他部材において、平面視でスリット部のある位置から排泄水分が透過しやすくなっていた。このため、排泄水分が外部に漏れ出すことがあった。そこで、スリット部の位置において排泄水分の透過を抑制することのできる吸収性物品が求められていた。
【００６４】
（１）尿パッド１００では、吸収性コア４０及び積層シート６０の少なくとも一つが界面不活性剤を含有する。これにより、界面不活性剤によって、吸収性コア４０及び積層シート６０が濡れにくくなり、吸収性コア４０及び積層シート６０に付着した排泄水分が表面を濡れ広がりにくくなる。したがって、吸収性コア４０及び積層シート６０の内部への排泄水分の浸潤を軽減して、透過を抑制することができる。よって、尿パッド１００では、吸収性コア４０及び積層シート６０を介した外部への排泄水分の透過を抑制して、外部への排泄水分の漏れ出しを抑えることができる。
【００６５】
（２）バックシート６３は、その表面に界面不活性剤が付着した付着層９１ｄを有する（図７参照）。または、バックシート６３は、界面不活性剤を含有する。これにより、バックシート６３は、界面不活性剤によって、表面に付着した排泄水分の透過を抑制することができる。したがって、例えば、着用者が一度に多量の排尿をした場合であっても、吸収体２０で直ちに吸収しきれなかった排泄水分の透過をバックシート６３が防ぎやすくなる。そして、バックシート６３によってせき止められた排泄水分を、吸収体２０によって吸収することができる。よって、尿パッド１００では、バックシート６３によって、排泄水分の漏れ出しを抑えることができる。
このようなバックシート６３が界面不活性剤を含むことによる効果は、バックシート６３が微多孔性のシートである場合に特に有効である。この場合、バックシート６３を厚み方向に貫通する孔を通じて透湿性を発揮させることができる。さらに、界面不活性剤によって、排泄水分が孔に侵入してバックシート６３を透過することを抑制することができる。すなわち、尿パッド１００によれば、界面不活性剤を含むバックシート６３を備えることで、透湿性と排泄水分の透過の抑制とを両立させることができる。
【００６６】
（３）カバーシート６５は、その表面に界面不活性剤が付着した付着層９１ｅを有する（図８参照）。これにより、カバーシート６５は、界面不活性剤によって、表面に付着した排泄水分の透過を抑制することができる。したがって、カバーシート６５によれば、バックシート６３と同様に排泄水分の透過を防ぎやすくなり、カバーシート６５によってせき止められた排泄水分を、吸収体２０によって吸収することができる。よって、尿パッド１００では、カバーシート６５によって、排泄水分の漏れ出しを抑えることができる。
【００６７】
（４）ラップシート６１とバックシート６３との間に、界面不活性剤を含有する接着部９２が設けられている（図９参照）。これにより、吸収体２０からバックシート６３への排泄水分の漏出を接着部９２によって抑制することができる。よって、尿パッド１００では、接着部９２によって、排泄水分の漏れ出しを抑えることができる。
【００６８】
（５）尿パッド１００では、吸収性コア４０がスリット部４９を有し、吸収体２０が溝状部２３を有している（図２，図３参照）。これにより、溝状部２３においてスリット部４９を厚み方向に通過した排泄水分が、スリット部４９と面する側面部分から吸収体２０の内部に浸透することで、幅方向への排泄水分の拡散と吸収を促進することができる。したがって、尿パッド１００では、スリット部４９を有さないフラットな吸収体を備える場合と比して、排泄水分を速やかに吸収することができる。さらに、尿パッド１００では、積層シート６０のうち少なくとも一つが界面不活性剤を含有するため、スリット部４９の位置においても排泄水分が積層シート６０を透過することが抑制される。よって、尿パッド１００では、スリット部４９によって吸収性能が向上するとともに、スリット部４９の位置での排泄水分の透過を抑制して、漏れ出しを抑えることができる。
【００６９】
（６）さらに、ラップシート６１は、溝状部２３の表面に、界面不活性剤が付着した付着層９１ａ，９１ｂを有する（図４，図５参照）。また、トップシート６２は、溝状部２３に対応する位置の表面に、界面不活性剤が付着した付着層９１ｃを有する（図６参照）。また、バックシート６３は、溝状部２３に対応する位置の表面に、界面不活性剤が付着した付着層９１ｄを有する（図７参照）。また、カバーシート６５は、溝状部２３に対応する位置の表面に、界面不活性剤が付着した付着層９１ｅを有する（図８参照）。また、溝状部２３に対応する位置に、界面不活性剤を含有する接着部９２が設けられる（図９参照）。これにより、吸収性コア４０が存在しておらずスリット部４９となっている溝状部２３の位置において、排泄水分が積層シート６０を透過することを、付着層９１ａ〜９１ｅ、又は接着部９２によって抑制することができる。一方、スリット部４９以外の外周部２４の位置では、排泄水分はラップシート６１及びトップシート６２を透過して、吸収性コア４０に吸収される。よって、尿パッド１００では、溝状部２３の位置では排泄水分の外部の透過を抑制して漏れ出しを抑えるとともに、外周部２４の位置では排泄水分を吸収することができる。
【００７０】
［ＩＩ．第二実施形態］
次に、尿パッドの第二実施形態を述べる。
本実施形態の尿パッドでは、ここで説明する点を除いては、第一実施形態と同様の構成である。これらの構成については、同様の符号を付し、詳細な説明は省略する。
【００７１】
［ＩＩ−１．構成］
［ＩＩ−１−１．基本構成］
図１０，１１に示すように、本実施形態の尿パッド１０１では、吸収性コア４０を内蔵し、第一吸収部２１と第二吸収部２２とを有する吸収体２０を備える。
【００７２】
〔第一吸収部、第二吸収部〕
図１１に示すように、第一吸収部２１は、吸収体２０において、第二吸収部２２よりも高吸収性ポリマー５１及び繊維材料５２の含有量が少なく、厚み方向の寸法が小さい部分である。また、第二吸収部２２は、第一吸収部２１よりも高吸収性ポリマー５１及び繊維材料５２の含有量が多く、厚み方向の寸法が大きい部分である。吸収体２０の肌対向面側に溝状の凹部が設けられていることで、第一吸収部２１が形成されている。図１０に示すように、第一吸収部２１は、平面視で吸収体２０の長手方向に沿って、幅方向中心に設けられている。また、第二吸収部２２は、平面視で第一吸収部２１の幅方向外側に設けられている。ここでは、第一吸収部２１と第二吸収部２２とが連続して設けられている。より具体的には、吸収体２０の幅方向中心に設けられた第一吸収部２１の周囲を取り囲むようにして、第二吸収部２２が設けられている。
【００７３】
第一吸収部２１の密度と第二吸収部２２の密度とは、同程度か、第一吸収部２１の密度が第二吸収部２２の密度よりも低いことが好ましい。すなわち、第一吸収部２１は、第二吸収部２２よりも高吸収性ポリマー５１及び繊維材料５２の密度が低く、且つ厚み方向の寸法が小さいものであることがより好ましい。
【００７４】
第一吸収部２１が第二吸収部２２よりも厚み方向の寸法が小さい場合、第二吸収部２２の厚みに対する第一吸収部２１の厚みは、通常８０％以下、好ましくは６０％以下、より好ましくは４０％以下、さらに好ましくは２０％以下であり、通常、１％以上、好ましくは３％以上、より好ましくは５％以上、さらに好ましくは１０％以上である。第二吸収部２２の厚みに対する第一吸収部２１の厚みが上記範囲の上限値以下であると、第一吸収部２１を利用して吸収体２０の内部に排泄水分を拡散させやすくなる。一方、第二吸収部２２の厚みに対する第一吸収部２１の厚みが上記範囲の下限値以上であると、排泄水分が第一吸収部２１を透過して、透過した排泄水分がバックシート６３を透過することを防ぎやすくなる。
【００７５】
第一吸収部２１が第二吸収部２２よりも密度が低い場合、第二吸収部２２の密度に対する第一吸収部２１の密度は、通常８０％以下、好ましくは６０％以下、より好ましくは４０％以下、さらに好ましくは２０％以下であり、通常、１％以上、好ましくは３％以上、より好ましくは５％以上、さらに好ましくは１０％以上である。第二吸収部２２の密度に対する第一吸収部２１の密度が上記範囲の上限値以下であると、第一吸収部２１を利用して吸収体２０の内部に排泄水分を拡散させやすくなる。一方、第二吸収部２２の密度に対する第一吸収部２１の密度が上記範囲の下限値以上であると、排泄水分が第一吸収部２１を透過して、透過した排泄水分がバックシート６３を透過することを防ぎやすくなる。
【００７６】
〔吸収体の形成〕
第一吸収部２１及び第二吸収部２２を有する吸収体２０の形成方法は、特に限定されず、公知の方法により製造することができる。例えば、高吸収性ポリマー５１及び繊維材料５２を含む吸収性材料を堆積してマット状の吸収性コア４０を作製する場合において、吸収性材料を、第一吸収部２１の部分に少なく（薄く）堆積して、第二吸収部２２の部分に多く（厚く）堆積することで形成することができる。さらに、第一吸収部２１及び第二吸収部２２を形成した吸収性コア４０を、ラップシート６１で被覆することで、吸収体２０を得ることができる。
【００７７】
［ＩＩ−１−２．詳細構成］
次に、尿パッド１０１の詳細な構成を述べる。
尿パッド１０１では、尿パッド１００と同様に、吸収性コア４０、ラップシート６１、トップシート６２、バックシート６３、及びカバーシート６５の少なくとも一つが、界面不活性剤を含んでいる。
【００７８】
吸収性コア４０が界面不活性剤を含む場合、繊維材料５２に界面不活性剤を混ぜてマット状に堆積することにより行うことができる。これにより、界面不活性剤が繊維材料５２中に分散された状態で、吸収性コア４０に界面不活性剤を含有させることができる。または、高吸収性ポリマー５１及び繊維材料５２をマット状に堆積した後に、界面不活性剤を溶剤に溶解又は分散させて得られた溶液を塗工して、溶液を乾燥することで行ってもよい。これにより、吸収性コア４０に界面不活性剤を含有する付着層を設けることができる。
【００７９】
吸収性コア４０は、その全域にわたって界面不活性剤を含んでいていてもよく、一部に界面不活性剤を含んでいてもよい。界面不活性剤は排泄水分の透過を抑制するため、吸収性コア４０において界面不活性剤が含まれる部分では、排泄水分の吸収が妨げられる。このため、吸収性コア４０は、一部に界面不活性剤を含むことが好ましく、中でも、第一吸収部２１において、界面不活性剤を含むことが好ましい。また、吸収性コア４０は、第二吸収部２２において、界面不活性剤を含まないことが好ましい。
【００８０】
第一吸収部２１において、バックシート６３、及びカバーシート６５の肌対向面側に界面不活性剤が付着した付着層９１ｄ，９１ｅの構成については、図７，８を参照して説明した溝状部２３の位置に付着層が設けられるバックシート６３、及びカバーシート６５の構成と同様である。なお、バックシート６３は、第一吸収部２１に対応する位置に、付着層９１ｄを有することが好ましい。また、カバーシート６５は、第一吸収部２１に対応する位置に、付着層９１ｅを有することが好ましい。
【００８１】
ここでは、図１２〜図１４を参照して、界面不活性剤が付着した付着層９１ｆ〜９１ｈについて説明する。なお、図１２〜図１４では、第一吸収部２１の断面部分を拡大視した状態を図示している。
【００８２】
〔付着層〕
＜ラップシートの付着層（３）＞
図１２を参照して、ラップシート６１ａが、外側表面の肌対向面側に設けられる付着層９１ｆを有する場合を例示する。第一吸収部２１では、吸収性コア４０の肌対向面側にラップシート６１ａが配置されている。このため、ここでは図１２に示すように、トップシート６２、付着層９１ｆ、ラップシート６１ａ、及び吸収性コア４０がこの順で積層される。さらに、吸収性コア４０に対して、図示省略したラップシート６１ｂ、バックシート６３、及びカバーシート６５がこの順で積層される。
【００８３】
ラップシート６１ａは、外側表面の全域にわたって付着層９１ｆを有していてもよく、一部に付着層９１ｆを有していてもよい。ここで、ラップシート６１ａは、通常、吸収性コア４０の肌対向面側に配置される。界面不活性剤は排泄水分の透過を抑制するため、ラップシート６１ａにおいて界面不活性剤が含まれる部分では、吸収性コア４０からの排泄水分の吸収が妨げられる。このため、ラップシート６１ａは、一部に界面不活性剤を含むことが好ましく、中でも、図１２に示すように、ラップシート６１ａは、第一吸収部２１に、付着層９１ｆを有することが好ましい。また、ラップシート６１ａは、第二吸収部２２に、付着層９１ｆを有しないことが好ましい。
【００８４】
＜ラップシートの付着層（４）＞
図１３を参照して、ラップシート６１ｂが、内側表面の肌対向面側に設けられる付着層９１ｇを有する場合を例示する。ここでは図１３に示すように、吸収性コア４０、付着層９１ｇ、ラップシート６１ｂ、バックシート６３、及びカバーシート６５がこの順で積層される。さらに、吸収性コア４０に対して、図示省略したラップシート６１ａ、及びトップシート６２がこの順で積層される。
【００８５】
ラップシート６１ｂは、内側表面の全域にわたって付着層９１ｇを有していてもよく、一部に付着層９１ｇを有していてもよい。ここで、ラップシート６１ｂは、通常、吸収性コア４０の肌非対向面側に配置される。尿パッド１００を全体で見た場合、厚み方向の寸法が小さい位置では、厚み方向の寸法が大きい位置よりも、排泄水分が積層シート６０を透過して漏れ出しやすい傾向にある。このため、厚み方向の寸法が小さい位置に、界面不活性剤を含む付着層９１ｇを有することが好ましい。したがって、ラップシート６１ｂは、第一吸収部２１に、付着層９１ｇを有することが好ましい。言い換えれば、図１３に示すように、ラップシート６１ｂは、第一吸収部２１に、付着層９１ｇを有することが好ましい。また、ラップシート６１ｂは、第二吸収部２２に、付着層９１ｇを有していてもよい。
【００８６】
＜トップシートの付着層＞
図１４を参照して、トップシート６２が、肌対向面側に設けられる付着層９１ｈを有する場合を例示する。ここでは図１２に示すように、付着層９１ｈ、トップシート６２、ラップシート６１ａ、及び吸収性コア４０がこの順で積層される。さらに、吸収性コア４０に対して、図示省略したラップシート６１ｂ、バックシート６３、及びカバーシート６５がこの順で積層される。
【００８７】
トップシート６２は、全域にわたって付着層９１ｈを有していてもよく、一部に付着層９１ｈを有していてもよい。ここで、トップシート６２は、通常、吸収性コア４０の肌対向面側に配置される。このため、付着層９１ｆと同様の理由から、トップシート６２は、一部に界面不活性剤を含むことが好ましく、中でも、図１４に示すように、トップシート６２は、第一吸収部２１に対応する位置に、付着層９１ｈを有することが好ましい。また、トップシート６２は、第二吸収部２２に対応する位置に、付着層９１ｈを有しないことが好ましい。
【００８８】
〔接着部〕
上述の通り、尿パッド１０１では、トップシート６２、ラップシート６１ａ、吸収性コア４０、ラップシート６１ｂ、バックシート６３、カバーシート６５の順に各部材が積層されている。隣接する各部材の間に、隣接する各部材どうし接着する接着部を有していてもよい。また、この接着部は、界面不活性剤を含有することが好ましい。中でも、接着部は、第一吸収部２１に対応する位置に設けられることが好ましい。
【００８９】
［ＩＩ−２．作用及び効果］
本実施形態の尿パッド１０１は、上述したように構成されるため、第一実施形態で上述した作用及び効果のほか、下記のような作用及び効果を得ることができる。
【００９０】
（１）尿パッド１０１では、吸収体２０が、厚み方向の寸法が小さい第一吸収部２１と、第一吸収部２１よりも厚み方向の寸法が大きい第二吸収部２２とを有している。これにより、第一吸収部２１の厚み方向の寸法が小さいことで、第一吸収部２１と第二吸収部２２との厚みの差が生じる。そしてこの厚みの差によって生じる段差の側面部分から排泄水分が浸透することで、吸収体２０の幅方向への排泄水分の拡散と吸収を促進することができる。したがって、吸収体の厚みが全体で均一な場合と比して、吸収体２０では、速やかに排泄水分の吸収を行うことができる。
また、第一吸収部２１は、第二吸収部２２よりも厚み方向の寸法が小さいながらも、高吸収性ポリマー５１及び繊維材料５２を含有しており、吸収体２０を貫通するものではない。したがって、排泄水分が吸収体２０を通過することを抑制することができ、外部へ排泄水分が透過することを抑制することができる。
さらに、尿パッド１０１では、吸収性コア４０及び積層シート６０の少なくとも一つが界面不活性剤を含有する。これにより、界面不活性剤によって、吸収性コア４０及び積層シート６０の内部への排泄水分の浸潤を軽減して、透過を抑制することができる。したがって、厚み方向の寸法が小さい第一吸収部２１からの排泄水分の透過をより抑制することができる。
よって、尿パッド１０１では、第一吸収部２１によって排泄水分の拡散と吸収を速めるとともに、第一吸収部２１からの排泄水分の漏れ出しを抑えることができる。
【００９１】
（２）さらに、ラップシート６１ａは、第一吸収部２１の表面に、界面不活性剤が付着した付着層９１ｆを有する（図１２参照）。また、ラップシート６１ｂは、第一吸収部２１の表面に、界面不活性剤が付着した付着層９１ｇを有する（図１３参照）。また、トップシート６２は、第一吸収部２１に対応する位置の表面に、界面不活性剤が付着した付着層９１ｈを有する（図１４参照）。また、吸収性コア４０は、第一吸収部２１において、繊維材料５２中に分散された界面不活性剤を含有する。また、第一吸収部２１に対応する位置に、界面不活性剤を含有する接着部が設けられる。これにより、厚み方向の寸法が小さい第一吸収部２１の位置において、排泄水分が積層シート６０を透過することを、界面不活性剤を含有する吸収性コア４０、付着層９１ｆ〜９１ｈ、又は接着部によって抑制することができる。
よって、尿パッド１０１では、第一吸収部２１によって排泄水分の拡散と吸収を速めるとともに、第一吸収部２１からの排泄水分の漏れ出しをよりいっそう抑えることができる。
【００９２】
［ＩＩＩ．第三実施形態］
次に、尿パッドの第三実施形態を述べる。
本実施形態の尿パッドでは、ここで説明する点を除いては、第一実施形態又は第二実施形態と同様の構成である。これらの構成については、同様の符号を付し、詳細な説明は省略する。
【００９３】
［ＩＩＩ−１．構成］
［ＩＩ−１−１．基本構成］
図１５に示すように、本実施形態の尿パッド１０２では、フラットな吸収性コア４０を内蔵する、マット状の吸収体２０を備える。
［ＩＩ−１−２．詳細構成］
次に、尿パッド１０２の詳細な構成を述べる。
尿パッド１０２では、尿パッド１００と同様に、吸収性コア４０、ラップシート６１、トップシート６２、バックシート６３、及びカバーシート６５の少なくとも一つが、界面不活性剤を含んでいる。
【００９４】
吸収性コア４０は、その全域にわたって界面不活性剤を含んでいていてもよく、一部に界面不活性剤を含んでいてもよい。界面不活性剤は排泄水分の透過を抑制するため、吸収性コア４０において界面不活性剤が含まれる部分では、排泄水分の吸収が妨げられるこのため、吸収性コア４０は、吸収体２０の幅方向中央において長手方向に沿って延びる中央部２５において、界面不活性剤を含むことが好ましい。なお、中央部２５とは、吸収体２０の幅方向において、中央から端部までの間の長さ全体の５０％としたときに、通常２５％までの範囲（両側で全体の５０％）、好ましくは２０％までの範囲（両側で全体の４０％）、より好ましくは１５％までの範囲（両側で全体の３０％）、特に好ましくは１０％までの範囲（両側で全体の２０％）をいう。
【００９５】
同様に、ラップシート６１、トップシート６２、バックシート６３、及びカバーシート６５は中央部２５において、界面不活性剤を含むことが好ましい。中でも、ラップシート６１、トップシート６２、バックシート６３、及びカバーシート６５は中央部２５において、付着層を有することが好ましい。
【００９６】
中央部２５において、バックシート６３、及びカバーシート６５の肌対向面側に界面不活性剤が付着した付着層については、図７，８を参照して説明した溝状部２３の位置に付着層が設けられるバックシート６３、及びカバーシート６５の構成と同様である。また、中央部２５において、ラップシート６１ａ，６１ｂ、及びトップシート６２の肌対向面側に界面不活性剤が付着した付着層については、図１２〜１４を参照して説明した第一吸収部２１の位置に付着層が設けられるラップシート６１ａ，６１ｂ、及びトップシート６２の構成と同様である。
【００９７】
［ＩＩＩ−２．作用及び効果］
本実施形態の尿パッド１０２は、上述したように構成されるため、第一実施形態で上述した作用及び効果のほか、下記のような作用及び効果を得ることができる。
【００９８】
（１）通常、着用者が吸収性物品を装着した状態で排泄をした場合には、排泄水分は、吸収体の中央部付近に排泄される。このため、従来の吸収性物品では、中央部の位置において排泄水分が積層シートを透過して外部に漏れ出すことがあった。
尿パッド１０２では、吸収性コア４０が中央部２５において、繊維材料５２中に分散された界面不活性剤を含有する。また、尿パッド１０２では、バックシート６３が中央部２５に対応する位置に、界面不活性剤を含有する。また、尿パッド１０２では、ラップシート６１ａ，６１ｂ、トップシート６２、バックシート６３、及びカバーシート６５は、中央部２５に対応する位置に、界面不活性剤が付着した付着層を有する。したがって、尿パッド１０２によれば、中央部２５に排泄された排泄水分の透過を界面不活性剤によって抑制することができる。一方、界面不活性剤を含有していない中央部２５以外の部分では、排泄水分を厚み方向に透過させることで、吸収体２０の中央部２５の周囲に排泄水分を拡散させて、吸収することができる。
【００９９】
［ＩＩＩ．その他］
上記の第二実施形態の説明では、一層の吸収性コア４０を備え、吸収体２０が第一吸収部２１と第二吸収部２２とを有する場合を例に挙げて説明した。この構成にかえて、吸収性コア４０は、肌対向面側に配置される上吸収性コアと、肌非対向面側に配置される下吸収性コアとの二層構造を有してもよい。さらに、吸収体２０は、上吸収性コアを内蔵する上吸収体と、下吸収性コアを内蔵する下吸収体との二層構造を有していてもよい。また、下吸収体が、第二実施形態の吸収体２０と同様に、第一吸収部２１と、第二吸収部２２とを有していてもよい。さらに、上吸収体が、第一吸収部２１に対応する位置に、厚み方向に貫通するスリット部を有していてもよい。
この第二実施形態の変形例においても、吸収性コア４０、ラップシート６１、トップシート６２、バックシート６３、及びカバーシート６５の少なくとも一つが、界面不活性剤を含んでいる。これにより、上吸収体のスリット部と下吸収体の第一吸収部２１によって排泄水分の拡散と吸収を速めるとともに、第一吸収部２１からの排泄水分の漏れ出しを抑えることができる。
【符号の説明】
【０１００】
１００，１０１，１０２  尿パッド
２  前身頃
３  股下部
４  後身頃
１０  積層体
２０  吸収体
２１  第一吸収部
２２  第二吸収部
２３  溝状部
２４  外周部
２５  中央部
４０  吸収性コア
４９  スリット部
５１  高吸収性ポリマー
５２  繊維材料
６０  積層シート
６１  ラップシート
６２  トップシート
６３  バックシート
６４  サイドシート
６５  カバーシート
９１ａ，９１ｂ，９１ｃ，９１ｄ，９１ｅ，９１ｆ，９１ｇ，９１ｈ  付着層
９２  接着部
【図１】
2019176928.tif 000003
【図２】
2019176928.tif 000004
【図３】
2019176928.tif 000005
【図４】
2019176928.tif 000006
【図５】
2019176928.tif 000007
【図６】
2019176928.tif 000008
【図７】
2019176928.tif 000009
【図８】
2019176928.tif 000010
【図９】
2019176928.tif 000011
【図１０】
2019176928.tif 000012
【図１１】
2019176928.tif 000013
【図１２】
2019176928.tif 000014
【図１３】
2019176928.tif 000015
【図１４】
2019176928.tif 000016
【図１５】
2019176928.tif 000017